(57)【要約】【課題】照明器具２００を設置する照明器具用架台１００を簡易な構造としながら、軽量化する。【解決手段】本発明に係る照明器具用架台１００は、照明器具２００を設置するための取付部１１０と、この取付部１１０の少なくとも一方の側部に設けられ、取付部１１０を補強する補強部１２０と、を備え、補強部１２０は、直角三角形状をなし、直角三角形状の斜辺１２１ｄが内側に窪むように曲線を描く形状にして、簡易な構造で、照明器具２００を取り付ける取付部１１０を補強するとともに、軽量化される。【選択図】          図４
2018056043.tif 000002
【特許請求の範囲】
【請求項１】
照明器具を被取付部材に取り付けるための照明器具用架台において、
前記照明器具を設置するための取付部と、
前記取付部の少なくとも一方の側部に設けられ、前記取付部を補強する補強部と、
を備え、
前記補強部は、直角三角形状をなし、直角三角形状の斜辺が内側に窪むように曲線を描く形状であることを特徴とする照明器具用架台。
【請求項２】
前記補強部を２つ有し、
前記補強部は、前記取付部の両側部にそれぞれ設けられることを特徴とする請求項１に記載の照明器具用架台。
【請求項３】
２つの前記補強部を連結する連結部を有することを特徴とする請求項２に記載の照明器具用架台。
【請求項４】
前記取付部の一端側は、台形形状に切り欠かれ、
前記連結部の一方の端辺は、前記取付部を正視したとき、前記台形形状の切り欠かれた切欠端と同一直線状に配置されていることを特徴とする請求項３に記載の照明器具用架台。
【発明の詳細な説明】
【技術分野】
【０００１】
本発明は、照明器具をポールや壁面などに取り付けるための照明器具用架台に関する。
【背景技術】
【０００２】
投光器などの照明器具を支柱に取り付ける方法として、例えば特許文献１に記載のような投光器架台などがある。
【先行技術文献】
【特許文献】
【０００３】
【特許文献１】特開平８−１７２０２号公報
【発明の概要】
【発明が解決しようとする課題】
【０００４】
しかしながら、特許文献１に記載の投光器架台では、支柱に取り付ける台取付バンドと、照明器具を設置する投光器取付板が複雑な構造で取り付けられており、組み立て作業が複雑で、重量も重かった。
また、簡易な構造として金属板を折り曲げて形成された架台も存在するが、架台の重量が重かった。
【０００５】
本発明は、上述のような課題を解決するためになされたもので、照明器具を設置する照明器具用架台を簡易な構造としながら、軽量化する。
【課題を解決するための手段】
【０００６】
本発明に係る照明器具用架台は、照明器具を設置するための取付部と、この取付部の少なくとも一方の側部に設けられ、取付部を補強する補強部と、を備え、補強部は、直角三角形状をなし、直角三角形状の斜辺が内側に窪むように曲線を描く形状とする。
【発明の効果】
【０００７】
本発明によれば、補強部の形状に曲線を形成することにより、簡易な構造で、照明器具を取り付ける取付部を補強するとともに、軽量化することができる。
【図面の簡単な説明】
【０００８】
【図１】実施の形態１に係る照明器具用架台１００をポール３００に設置した状態を示す斜視図である。
【図２】図１の照明器具用架台１００を側面から見たときの状態を示す側面図である。
【図３】図１の照明器具用架台１００を上面から見たときの上面図である。
【図４】実施の形態１に係る照明器具用架台１００を示す斜視図である。
【図５】図４の照明器具用架台１００を他の角度から見たときの斜視図である。
【図６】図４の照明器具用架台１００の五面を示す図であり、（ａ）は上面図、（ｂ）は正面図、（ｃ）は底面図、（ｄ）は側面図、（ｅ）は背面図である。
【図７】実施の形態１に係る照明器具用架台１００を壁面４００に設置した状態を示す斜視図である。
【図８】図１の照明器具用架台１００を側面から見たときの状態を示す側面図である。
【図９】図１の照明器具用架台１００を上面から見たときの上面図である。
【発明を実施するための形態】
【０００９】
以下、本発明の実施の形態を、図面に基づいて説明する。なお、以下に示す図面の形態によって本発明が限定されるものではない。
【００１０】
実施の形態１．
本実施の形態について、図１〜図９を用いて説明する。
この実施の形態の架台１００は、照明器具２００を電柱、支柱などのポール３００や壁面４００に取り付けるためのものである。
【００１１】
架台１００は、照明器具２００を設置するための取付部１１０と、この取付部１１０の両側にそれぞれ設けられる２つの補強部１２０と、この２つの補強部１２０同士を連結する連結部１３０と、照明器具２００を取付部１１０に固定する照明器具締結具１４０と、照明器具２００が落下するのを防止するための落下防止具１５０を有する。この架台１００は、例えば、１ｍｍ〜４ｍｍ厚の金属板を折り曲げ加工、プレス加工、溶接加工などにより形成する。
【００１２】
また、取付部１１０は、一端側にポール３００が取り付けられるように台形状に切りかかれた取付端部１１１と、照明器具２００を取り付けるための照明器具取付穴１１２と、落下防止具１４０が取り付けられる落下防止具取付穴１１３が形成される。
【００１３】
取付端部１１１は、切りかかれた台形形状のうち、上辺部分がポール３００に当接する切欠端１１１ａである。
【００１４】
補強部１２０は、取付部１１０から略垂直方向に立設された立設部１２１と、この立設部１２１のうち、ポール３００が取り付けられる一端側に形成された壁取付部１２２と、を有する。
【００１５】
立設部１２１は、ポール３００が取り付けられる一端側に、２つの長方形状、楕円形状または長円形状の長穴１２１ａが形成される。この長穴１２１ａは、バンド５００によって、ポール３００に架台１００を締結するためのものである。
【００１６】
立設部１２１は、略直角三角形状をなし、底辺１２１ｂに相当する部分が取付部１１０に接し、高さ１２１ｃに相当する部分がポール３００に当接するとしたとき、斜辺１２１ｄに相当する部分は、曲線を描く形状となっている。この曲線は、底辺１２１ｂ、高さ１２１ｃ側に窪んだ放物線を描いている。このように、斜辺１２１ｄを曲線とすることによって、立設部１２１の面積（体積）を少なくすることができ、重量を軽くすることができる。また、斜辺１２１ｄに角部を有するように立設部１２１の面積を小さくすると、この角部に応力が集中しクラックが入る恐れがあるが、曲線で形成しているので、応力が集中せずに分散されるため、斜辺１２１ｄを直線とした場合と比べても立設部１２１の強度が落ちることなく、ほぼ同等の強度を保つことができる。
【００１７】
壁取付部１２２は、架台１００の外方に向かって突出するように形成され、壁面４００に取り付けるためのネジ、ボルトなどの壁面締結具４１０が挿入される固定穴１２２ａが形成される。
【００１８】
連結部１３０は、平面部１３１が形成され、この平面部１３１が取付部１１０に対して略平行となるように、補強部１２０に取り付けられる。この連結部１３０の端辺１３１ａは、架台１００がポール３００に取り付けられたとき、ポール３００に接触する。つまり、連結部１３０の一方の側端部（端辺１３１ａ）は、取付部１１０を正視したとき、台形形状の切り欠かれた切欠端１１１ａと同一直線状に配置されている。これにより、架台１００がポール３００に取り付けられたとき、取付部１１０の一端と、立設部１２１の一端とともに、連結部１３０の端辺が接触するので、架台１００は、ポール３００に対して安定した状態（ガタツキやポール３００に対する傾きが少ない状態）で取り付けられることができる。
【００１９】
照明器具締結具１４０は、ネジ穴が照明器具取付穴１１２と連通するように、取り付け部１１０に溶接、溶着または接着されたナット１４１と、このナット１４１に締結されて、照明器具２００を固定するボルト１４２と、を有する。
【００２０】
落下防止具１５０は、照明器具２００に巻きつけられるワイヤー１５１と、このワイヤー１５１が取り付けられる落下防止取付金具１５２と、落下防止具取付穴１１３に挿入され、落下防止取付金具１５２を取付部１１０に締結する落下防止締結具１５３とを有する。この落下防止具１５０は、照明器具２００を取付部１１０に固定している照明器具締結具１４０が万が一外れた場合に、照明器具２００が地面などに落下するのを防止するためのものである。
【００２１】
落下防止締結具１５３は、ナット１５３ａとこのナット１５３ａに締結されるボルト１５３ｂとを有する。
【００２２】
次に照明器具２００をポール３００に取り付けるための架台１００の取り付け方法について説明する。
まず、ポール３００に架台１００の端部である取付部１１０の一端側（取付端部１１１）と、補強部１２０の一端側（高さ１２１ｃ）と、連結部１３０の端辺１３１ｃを接触を当接させる。この状態で、バンド５００を、２つの補強部１２０の長穴１２１ａを連通するようにして、ポール３００に巻きつける。なお、長穴１２１ａは補強部１２０にそれぞれ２つ存在するので、バンド５００を２本使用して締め付けることにより、架台１００をポール３００に締結する。
【００２３】
次に、架台１００の取付部１１０に照明器具２００を載せ、ボルト１４２を照明器具取付穴１１２に挿通して、ナット１４１に締結することにより、照明器具２００を架台１００に設置する。
【００２４】
このとき、取付部１１０に取り付けられた照明器具２００の加重が取付部１１０にかかり、取付部１１０が変形しようとする。しかしながら、この取付部１１０は、補強部１２０により補強されているので、取付部１１０の変形が抑制される。なお、補強部１２０は、取付部１１０の変形を抑制するために応力がかかり、補強部１２０の斜辺１２１ｄにも加重がかかるが、上述のように、斜辺１２１ｄが曲線で形成されているので、その加重による応力が分散される。従って、補強部１２０を軽量化するとともに、取付部１１０の変形を抑制することができる。
【００２５】
また、照明器具２００の加重によって、補強部１２０がポール３００に押し当てられたとき、補強部１２０同士が広がる方向に力がかかるが、２つの補強部１２０を連結部１３０によって連結することにより、２つの補強部１２０が広がるのを抑制することができる。
【００２６】
最後に照明器具２００を壁面４００に取り付けるための架台１００の取り付け方法について説明する。
【００２７】
壁面４００には壁面取付具４１０が設けられている。この壁面取付具４１０は、例えば予め壁面４００に取り付けられているアンカーボルト４１１と、このアンカーボルト４１１にネジ留めされるナット４１２からなる。
まず、アンカーボルト４１１に取り付けられるナット４１２を外し、このアンカーボルト４１１を固定穴１２２ａに挿入させる。これにより、壁面取付部１２２は、壁面４００に面接触する。
次に、アンカーボルト４１１から外したナット４１２をアンカーボルト４１１に締め直し、壁面４００とナット４１２で、壁面取付部１２２を挟み込み、架台１００を壁面４００に取り付ける。
次に、壁面４００に固定した架台１００に照明器具２００を設置するが、照明器具２００を架台１００に取り付ける方法及び作用効果は、架台１００をポール２００に取り付ける場合と同様であるため、説明を省略する。
【符号の説明】
【００２８】
１００  架台、１１０  取付部、１１１  取付端部、１１１ａ  切欠端、１１２  照明器具取付穴、１１３  落下防止具取付穴、１２０  補強部、１２１  立設部、１２１ａ  長穴、１２１ｂ  底辺、１２１ｃ  高さ、１２１ｄ  斜辺、１２２  壁取付部、１２２ａ  固定穴、１３０  連結部、１３１  平面部、１３１ａ  端辺、１４０  照明器具締結具、１４１  ナット、１４２  ボルト、１５０  落下防止具、１５１  ワイヤー、１５２  落下防止取付金具、１５３  落下防止締結具、１５３ａ  ナット、１５３ｂ  ボルト、２００  照明器具、３００  ポール、４００  壁面、４１０  壁面取り付け具、４１１  アンカーボルト、４１２  ナット、５００  バンド。
【図１】
2018056043.tif 000003
【図２】
2018056043.tif 000004
【図３】
2018056043.tif 000005
【図４】
2018056043.tif 000006
【図５】
2018056043.tif 000007
【図６】
2018056043.tif 000008
【図７】
2018056043.tif 000009
【図８】
2018056043.tif 000010
【図９】
2018056043.tif 000011